(57)【特許請求の範囲】
【請求項１】
車両の走行情報を蓄積し、人が聞き取れない領域の特定周波数の音を感知すると前記特定周波数の音を鳴動させている移動端末と通信確立して前記走行情報を送信する車両と、
前記車両への給油に関する給油情報を保持し、前記特定周波数の音を感知すると前記特定周波数の音を鳴動させている移動端末と通信確立して前記給油情報を送信するサービス提供装置と、
自端末の特定のキーが長押しされると、スピーカーより前記特定周波数の音を鳴動させ、前記車両と通信確立させた後に走行情報を、前記サービス提供装置と通信確立させた後に給油情報を受信し、前記走行情報と前記給油情報とを受信した後に前記走行情報と前記給油情報とを送信する移動端末と、
前記移動端末から送信された前記走行情報と前記給油情報とに基づいて燃費を算出し、前記算出した燃費を前記走行情報及び前記給油情報と共に管理するサーバーと
を有することを特徴とする管理システム。
【請求項２】
車両の走行情報を蓄積し、人が聞き取れない領域の特定周波数の音を感知すると前記特定周波数の音を鳴動させている移動端末と通信確立して前記走行情報を送信する車両と、
前記車両へのメンテナンスサービスに関するメンテナンス情報を保持し、前記特定周波数の音を感知すると前記特定周波数の音を鳴動させている移動端末と通信確立して前記メンテナンス情報を送信するサービス提供装置と、
自端末の特定のキーが長押しされると、スピーカーより前記特定周波数の音を鳴動させ、前記車両と通信確立させた後に走行情報を、前記サービス提供装置と通信確立させた後にメンテナンス情報を受信し、前記走行情報と前記メンテナンス情報とを受信した後に前記走行情報と前記メンテナンス情報とを送信する移動端末と、
前記移動端末から送信された前記走行情報と前記メンテナンス情報とを管理するサーバーと
を有することを特徴とする管理システム。
【請求項３】
移動端末の特定のキーが長押しされると、スピーカーより人が聞き取れない領域の特定周波数の音を鳴動させる鳴動ステップと、
前記特定周波数の音を感知すると前記移動端末と車両とが通信確立する第１の通信確立ステップと、
前記特定周波数の音を感知すると前記移動端末とサービス提供装置とが通信確立する第２の通信確立ステップと、
前記第１の通信確立後に前記車両から走行情報を、前記第２の通信確立後に前記サービス提供装置から前記車両への給油に関する給油情報を受信する受信ステップと、
前記走行情報と前記給油情報とを受信した後に前記走行情報と前記給油情報とを送信する送信ステップと、
前記移動端末から送信された前記走行情報と前記給油情報とに基づいて燃費を算出する算出ステップと、
前記算出した燃費を前記走行情報及び前記給油情報と共に管理する管理ステップと
を有することを特徴とする管理方法。
【請求項４】
移動端末の特定のキーが長押しされると、スピーカーより人が聞き取れない領域の特定周波数の音を鳴動させる鳴動ステップと、
前記特定周波数の音を感知すると前記移動端末と車両とが通信確立する第１の通信確立ステップと、
前記特定周波数の音を感知すると前記移動端末とサービス提供装置とが通信確立する第２の通信確立ステップと、
前記第１の通信確立後に前記車両から走行情報を、前記第２の通信確立後に前記サービス提供装置から前記車両へのメンテナンスサービスに関するメンテナンス情報を受信する受信ステップと、
前記走行情報と前記メンテナンス情報とを受信した後に前記走行情報と前記メンテナンス情報とを送信する送信ステップと、
前記移動端末から送信された前記走行情報と前記メンテナンス情報とを管理する管理ステップと
を有することを特徴とする管理方法。
【発明の詳細な説明】
【技術分野】
【０００１】
本願発明は、車両情報を管理する管理システム及び管理方法に関する。
【背景技術】
【０００２】
一般に、車両と給油ステーションとの間で無線通信を介してデータを送受信し、データを車両と給油ステーションに保存する技術がある。
【０００３】
この技術は、車両と給油ステーションとの１対１での無線通信を行い、燃費や給油データ（給油量、リッター単価、価格）を車両搭乗者と給油ステーションの管理者とが確認するという、閉ざされた範囲で使用されている。
【０００４】
ところで、近年の車両の使用用途は多岐にわたり、周囲環境や運転の仕方で、車両の燃費の状態を示す数値は変化する。ここで、一例を説明する。
【０００５】
図１に示す様に、給油ステーションの送受信装置１００１のコンピュータ１００２と車両に搭載される送受信装置１００５とは、車両１０１０が給油ステーションの送受信装置１００１における無線端末１００４の通信可能エリア内に進入した状態で、車両１０１０の給油口が開放されたときに自動的に通信を開始する。
【０００６】
車両１０１０に対する燃料の供給が終了した後には、コンピュータ１００２から車両に搭載される送受信装置１００５へ給油量データを含む、給油明細データが送信される。車両に搭載される送受信装置１００５では、制御装置１００６が、受信した給油明細データ中の給油量データと車両走行距離とに基づいた演算により燃費データを算出し、算出された燃費データを表示端末１００７に表示する。
【０００７】
また、上記技術の他に、給油回数や走行距離に関連した顧客管理及びサービス(エンジンオイルなどの交換時期の通知やメンテナンス)を効果的に行い得るような技術もある。
【先行技術文献】
【特許文献】
【０００８】
【特許文献１】特開２００３-１６０１９９号公報
【発明の概要】
【発明が解決しようとする課題】
【０００９】
上記の技術では、車両の燃費は車両と給油ステーションにしか保存されず、給油場所を変えた場合には燃費の計算は出来ても情報の蓄積は出来なくなる不都合な面がある。また、外部から確認、例えば、自宅や社用車であれば会社からの確認が出来無いという不便さもある。
【００１０】
そこで、本願では車両の燃費及び給油データ(給油量、リッター単価、価格)と、車両の持つメンテナンス履歴情報を無線移動端末を用いて、サーバーに保存して更新と閲覧を可能にし、ユーザーの利便性の向上及び新たなサービスを提供できる技術を提供する事である。
【課題を解決するための手段】
【００１１】
上記課題を解決するための本発明は、車両の走行情報を蓄積し、人が聞き取れない領域の特定周波数の音を感知すると前記特定周波数の音を鳴動させている移動端末と通信確立して前記走行情報を送信する車両と、前記車両への給油に関する給油情報を保持し、前記特定周波数の音を感知すると前記特定周波数の音を鳴動させている移動端末と通信確立して前記給油情報を送信するサービス提供装置と、自端末の特定のキーが長押しされると、スピーカーより前記特定周波数の音を鳴動させ、前記車両と通信確立させた後に走行情報を、前記サービス提供装置と通信確立させた後に給油情報を受信し、前記走行情報と前記給油情報とを受信した後に前記走行情報と前記給油情報とを送信する移動端末と、前記移動端末から送信された前記走行情報と前記給油情報とに基づいて燃費を算出し、前記算出した燃費を前記走行情報及び前記給油情報と共に管理するサーバーとを有することを特徴とする。
【００１２】
上記課題を解決するための本発明は、車両の走行情報を蓄積し、人が聞き取れない領域の特定周波数の音を感知すると前記特定周波数の音を鳴動させている移動端末と通信確立して前記走行情報を送信する車両と、前記車両へのメンテナンスサービスに関するメンテナンス情報を保持し、前記特定周波数の音を感知すると前記特定周波数の音を鳴動させている移動端末と通信確立して前記メンテナンス情報を送信するサービス提供装置と、自端末の特定のキーが長押しされると、スピーカーより前記特定周波数の音を鳴動させ、前記車両と通信確立させた後に走行情報を、前記サービス提供装置と通信確立させた後にメンテナンス情報を受信し、前記走行情報と前記メンテナンス情報とを受信した後に前記走行情報と前記メンテナンス情報とを送信する移動端末と、前記移動端末から送信された前記走行情報と前記メンテナンス情報とを管理するサーバーとを有することを特徴とする。
【００１３】
上記課題を解決するための本発明は、移動端末の特定のキーが長押しされると、スピーカーより人が聞き取れない領域の特定周波数の音を鳴動させる鳴動ステップと、前記特定周波数の音を感知すると前記移動端末と車両とが通信確立する第１の通信確立ステップと、前記特定周波数の音を感知すると前記移動端末とサービス提供装置とが通信確立する第２の通信確立ステップと、前記第１の通信確立後に前記車両から走行情報を、前記第２の通信確立後に前記サービス提供装置から前記車両への給油に関する給油情報を受信する受信ステップと、前記走行情報と前記給油情報とを受信した後に前記走行情報と前記給油情報とを送信する送信ステップと、前記移動端末から送信された前記走行情報と前記給油情報とに基づいて燃費を算出する算出ステップと、前記算出した燃費を前記走行情報及び前記給油情報と共に管理する管理ステップとを有することを特徴とする。
【００１４】
上記課題を解決するための本発明は、移動端末の特定のキーが長押しされると、スピーカーより人が聞き取れない領域の特定周波数の音を鳴動させる鳴動ステップと、前記特定周波数の音を感知すると前記移動端末と車両とが通信確立する第１の通信確立ステップと、前記特定周波数の音を感知すると前記移動端末とサービス提供装置とが通信確立する第２の通信確立ステップと、前記第１の通信確立後に前記車両から走行情報を、前記第２の通信確立後に前記サービス提供装置から前記車両へのメンテナンスサービスに関するメンテナンス情報を受信する受信ステップと、前記走行情報と前記メンテナンス情報とを受信した後に前記走行情報と前記メンテナンス情報とを送信する送信ステップと、前記移動端末から送信された前記走行情報と前記メンテナンス情報とを管理する管理ステップとを有することを特徴とする。
【発明の効果】
【００１５】
本発明によると、簡易的に車両の燃費及び整備状態を管理及び閲覧することが出来、管理しているサーバー側から利用者に対して新しいサービスを提供することが出来る。
【図面の簡単な説明】
【００１６】
【図１】本発明のブロック図である。
【図２】本発明に関係する技術を説明するための図である。
【図３】第１の実施の形態のブロック図である。
【図４】第１の実施の形態のフローチャート図である。
【図５】車両に搭載される送信装置の動作を説明するためのフローチャートである。
【図６】給油機に搭載される送信装置の動作を説明するためのフローチャートである。
【図７】本発明を説明するためのブロック図である。
【図８】本発明を説明するためのブロック図である。
【図９】本発明の第３の実施の形態のフローチャートである。
【図１０】第３の実施の形態の車両に搭載される送受信装置のフローチャートである。
【図１１】第３の実施の形態のメンテナンスデータ送受信装置のフローチャートである。
【発明を実施するための形態】
【００１７】
本発明の特徴を説明するために、以下において、図面を参照して具体的に述べる。
〈第１の実施の形態〉
本発明を実施するための第１の実施の形態について図面を参照して詳細に説明する。
【００１８】
本発明は上記問題を解決するため、サーバー、無線通信移動端末、車両に搭載された送信装置または送受信装置、給油機に搭載された送信装置、メンテナンスデータ送受信装置を無線通信を介してデータ送受信を行う無線通信システムである。
【００１９】
図１は、本実施の形態における管理システムのブロック図である。
【００２０】
管理システムは、サーバー１、無線通信移動端末２、車両４内の車両に搭載される送信装置３、給油機６内の給油機に搭載される送信装置５から構成されている。そして、無線通信移動端末２で、車両に搭載される送信装置３、給油機に搭載される送信装置５からデータを受信して、サーバー１にデータを送信し、処理結果をサーバー１から受信するシステムになっている。
【００２１】
まず、サーバー１の説明をする。無線通信移動端末２と通信をする無線通信部１０１と、データを保存するデータ格納部１０４、データの処理や計算をする計算部１０３、通信時間や待ち時間を計るタイマー部１０５、それらを制御する制御部１０２から構成されている。
【００２２】
次に無線通信移動端末２の説明をする。サーバー１と無線通信するサーバー無線通信部１１６、給油機に搭載される送信装置５と無線通信する給油機無線通信部１１５、車両に搭載される送信装置３と無線通信する車両無線通信部１１４、装置を操作するキースイッチ１１３、タッチパネル１１１、そのタッチパネルを制御するタッチパネルドライバ１１２、音を鳴動させるスピーカー１１７、通信時間や待ち時間を計るタイマー部１１８、結果を表示するLCD１１０、そのLCDを制御するLCDドライバ１０９、データを記憶する記憶部１０７、車両データ及び給油データの管理及びデータ種類の判別をするデータ処理部１０８、それらの制御を行う中央制御部１０６から構成されている。車両データは、無線通信移動端末２の所有者が所有している車両の走行距離やエンジンオイル等の車両の構成部の交換時期・交換回数等の情報である。給油データは、該給油機における給油量である。
【００２３】
次に車両４内の車両に搭載される送信装置３の説明をする。無線通信移動端末２と無線通信をする無線通信部１２３、通信時間や待ち時間を計るタイマー部１２４、音を感知する音センサー部１２２、車両データを保存する車両データ格納部１２０、それらを制御する制御部１１９、車両データ格納部１２０にデータを提供するトリップメーター１２１から構成されている。
【００２４】
最後に給油機６内の給油機に搭載される送信装置５を説明する。無線通信移動端末２と無線通信をする無線通信部１２９、通信時間や待ち時間を計るタイマー部１３０、音を感知する音センサー部１２８、給油データを保存する給油データ格納部１２６、装置を操作する操作部１３１、それらを制御する制御部１２５、給油データ格納部１２６にデータを提供する給油データ管理部１２７から構成されている。
【００２５】
第１の実施の形態の無線通信移動端末２の動作を図４のフローチャートを用いて説明する。
【００２６】
フローa-１でスタートする。フローa-１は電源OFFの状態である。
【００２７】
フローa-２は電源がONであり、操作を何時でも受付けられる状態である。
【００２８】
フローa-３は車両に搭載される送信装置３及び給油機に搭載される送信装置５からデータを取得するため、ある特定のキーが長押しされているか判断している。長押しされていればフローa-４へ、されて無ければフローa-２の待受け状態に遷移する。
【００２９】
フローa-４は、スピーカー１１７より特定周波数の音を鳴動させる。無線通信移動端末２の存在を車両に搭載される送信装置３及び給油機に搭載される送信装置５に伝えるために、人が聞き取れない領域の周波数を鳴動させる。またその周波数を連続して発生させる事で、より確実に感知させる事ができる。
【００３０】
発生後にフローa-５に遷移する。
【００３１】
フローa-５は、車両データもしくは給油データの受信を開始したかを判断する。データ受信が開始出来ていればフローa-６へ、出来ていない場合は待ち受け状態に戻り、再操作をする。
【００３２】
フローa-６は、車両データと給油データの受信が完了したかを判断する。両方の受信が完了していれば、フローa-９へ、完了していなければフローa-７に遷移する。
【００３３】
フローa-７は、データの保存をするか判断する。保存する場合はフローa-８に遷移する。保存しない場合はデータを廃棄して待ち受け状態に遷移する。
【００３４】
フローa-８は、データを無線通信移動端末２に保存する。保存後に待ち受け状態に遷移する。
【００３５】
フローa-９は、データを無線通信移動端末２に保存する。保存後にフローa-１０に遷移する。
【００３６】
フローa-１０は、サーバー１との通信確立を行う。通信確立が出来た場合はフローa-１１に遷移する。また無線通信移動端末２内にタイマー部１１８があるので、設定された時間までに通信確立が出来なかった場合は、待ち受け状態に遷移する。
【００３７】
また、このサーバー１への接続は手動でも可能なため、後々に操作をしてデータアップロードをする事も許容している。
【００３８】
フローa-１１は、サーバー１にデータをアップロードする。終了後にフローa-１２に遷移する。
【００３９】
フローa-１２は、データの送信が完了したかを判断する。完了した場合はフローa-１３に遷移する。
【００４０】
完了していない場合は、フローa-１０に戻りサーバー１との通信確立からやり直す。
【００４１】
フローa-１３は、サーバー１内部にデータを保存する。保存後にフローa-１４に遷移する。
【００４２】
フローa-１４は、データを元に計算をする。ここでは燃費の計算の他、蓄積されたデータの処理を行う。終了後にフローa-１５に遷移する。
【００４３】
フローa-１５は、計算結果やデータ処理結果を保存する。保存後にフローa-１６に遷移する。
【００４４】
フローa-１６は、無線通信移動端末２との通信確立を行う。通信確立が出来た場合はフローa-１７に遷移する。またサーバー１内にタイマー部１０５があるので、設定された時間までに通信確立が出来なかった場合は、接続動作を終了する。
【００４５】
また、このサーバー１への接続は手動でも可能なため、後々に操作をしてデータダウンロードする事も許容している。
【００４６】
フローa-１７は、無線通信移動端末２にデータダウンロードする。終了後にフローa-１８に遷移する。
【００４７】
フローa-１８は、データの送信が完了したかを判断する。完了した場合はフローa-１９に遷移する。
【００４８】
完了していない場合は、フローa-１６に戻り無線通信移動端末２との通信確立からやり直す。
【００４９】
フローa-１９は、データを無線通信移動端末２に保存する。保存後にフローa-２０に遷移する。
【００５０】
フローa-２０は、LCD１１０に結果を表示しユーザーに伝える。
【００５１】
フローa-２１で終了する。
【００５２】
第１の実施の形態の車両搭載無線通信装置の動作を図５のフローチャートを用いて説明する。
【００５３】
フローb-１でスタートする。フローb-１は電源OFFの状態である。
【００５４】
フローb-２は電源ONし、操作を何時でも受付けられる状態である。
【００５５】
フローb-３は、特定周波数の音を感知したかを判断する。無線通信移動端末２で人が聞き取れない領域の周波数を連続して発生させるため、通常時とは異なる状況にさせる事で、確実に感知することが出来る。感知した場合はフローb-４に遷移する。感知していない場合は待ち受け状態に戻る。
【００５６】
フローb-４は、無線通信部１２３を起動する。起動後にフローb-５に遷移する。
【００５７】
フローb-５は、無線通信移動端末２との通信確立を行う。通信確立が出来た場合はフローb-６に遷移する。またシステム内にタイマー部１２４があるので、設定された時間までに通信確立が出来なかった場合は、待ち受け状態に遷移する。
【００５８】
フローb-６は、格納されている車両データを送信する。また、格納部１２０に入るデータは常に最新のデータが更新されており、送信時には最新のデータが装置に送られる。終了後にフローb-７に遷移する。
【００５９】
フローb-７は、データの送信が完了したかを判断する。完了した場合はフローb-８に遷移する。完了していない場合は、フローb-５に戻り無線通信移動端末２との通信確立からやり直す。
【００６０】
フローb-８は、格納部１２０のデータ及びトリップメーターの値をリセットして次のデータ取得に備える。
【００６１】
フローb-９で、終了する。
【００６２】
第１の実施の形態の給油機搭載無線通信装置の動作を図６のフローチャートを用いて説明する。
【００６３】
フローc-１でスタートする。フローc-１は電源OFFの状態である。
【００６４】
フローc-２は電源ONし、操作を何時でも受付けられる状態である。
【００６５】
フローc-３は給油機を操作して給油を開始する。終了後にフローc-４に遷移する。
【００６６】
フローc-４は給油が終了した事を確認する。確認後にフローc-５に遷移する。
【００６７】
フローc-５は給油データを格納部１２６に保存する。保存後にフローc-６に遷移する。
【００６８】
フローc-６は、データを取得する操作があるかを判断する。データを取得する操作があった場合はフローc-８に遷移する。無かった場合は、フローc-７に遷移する。
【００６９】
フローc-７はデータをリセットして次の給油に備える。終了後に待ち受け状態に遷移する。
【００７０】
フローc-８は、特定周波数の音を感知したかを判断する。無線通信移動端末２で人が聞き取れない領域の周波数を連続して発生させるため、通常時とは異なる状況にさせる事で、確実に感知することが出来る。感知した場合はフローc-９に遷移する。
【００７１】
システム内にタイマー部１３０があるので、設定された時間までに感知していない場合はフローc-７に遷移する。
【００７２】
フローc-９は、無線通信部１２９を起動する。起動後にフローc-５に遷移する。
【００７３】
フローc-１０は、無線通信移動端末２との通信確立を行う。通信確立が出来た場合はフローc-１１に遷移する。またシステム内にタイマー部１３０があるので、設定された時間までに通信確立が出来なかった場合は、フローc-７に遷移する。
【００７４】
フローc-１１は、格納されている給油データを送信する。終了後にフローc-１２に遷移する。
【００７５】
フローc-１２は、データの送信が完了したかを判断する。完了した場合はフローc-１３に遷移する。
【００７６】
完了していない場合は、フローc-１０に戻り無線通信移動端末２との通信確立からやり直す。
【００７７】
フローc-１３はデータをリセットして次の給油に備える。
【００７８】
フローc-１４で、終了する。
〈第２の実施の形態〉
第２の実施の形態について図３のブロック図を用いて説明する。
【００７９】
本発明の管理システムはサーバー１、無線通信移動端末７、車両４内の車両に搭載される送信装置３、給油機６内の給油機に搭載される送信装置５から構成されており、無線通信移動端末７で、車両に搭載される送信装置３、給油機に搭載される送信装置５からデータを受信して、サーバー１にデータを送信し、処理結果をサーバー１から受信するシステムになっている。
【００８０】
本実施の形態と上記第１の実施の形態との動作の相違点は、サーバー１と通信するサーバー無線通信部１１６と、給油機に搭載される送信装置５と無線通信する給油機無線通信部１１５と、車両に搭載される送信装置３と無線通信する車両無線通信部１１４を１つの無線通信部３０１にして、サーバー１、無線通信移動端末７、車両に搭載される送信装置３、給油機に搭載される送信装置５を一つの無線通信システムでデータの送受信をする事を特徴にしている。
〈第３の実施の形態〉
第３の実施の形態について図７のブロック図を用いて説明する。
【００８１】
管理システムは、サーバー１、無線通信移動端末８、車両４内の車両に搭載される送受信装置９、メンテナンスデータ送受信装置１０から構成されており、無線通信移動端末８で、メンテナンスデータ送受信装置１０からデータを受信し、車両に搭載される送受信装置９にデータを送信し、サーバー１にデータを送信し処理結果をサーバー１から受信するシステムになっている。
【００８２】
この第３の実施の形態と第１の実施の形態の動作の相違点は、無線通信移動端末８の給油機無線通信部１１５をメンテナンスデータ無線通信部２０１に変更して、無線通信先を変更した点と、車両に搭載される送信装置３を車両に搭載される送受信装置９に変更し、切り分け部２０２を追加して周波数の切り分けを出来る様にした点と、給油機に搭載される送信装置５をメンテナンスデータ(ガソリンスタンドや自動車整備工場、車用品取扱店等に備え付け)送受信装置１０に変更し、切り分け部２０３を追加して周波数の切り分けを出来る様にした点と、給油データ格納部１２６をメンテナンスデータ格納部２０４に変更した点と、装置を操作する操作部１０７を無くした点と、給油データ管理部１２７をメンテナンスデータ管理部２０５に変更している点である。
【００８３】
無線通信移動端末８で２種類の音を発生させて、対向装置の制御を切り替える手段を持ち、端末からのデータ送受信を可能にし、メンテナンスデータ(オイル種類、オイル交換日、オイル交換前の走行距離、バッテリー状態等)を車両に搭載される送受信装置９及びサーバー１に保存できるシステムを提供する。
【００８４】
また、この情報を利用してユーザーに最適なメンテナンス方法や、アイテムを推奨するサービスを展開することも出来る。
【００８５】
まず、サーバー１の説明をする。
【００８６】
無線通信移動端末８と通信をする無線通信部１０１と、データを保存するデータ格納部１０４、データの処理や計算をする計算部１０３、通信時間や待ち時間を計るタイマー部１０５、それらを制御する制御部１０２から構成されている。
【００８７】
次に無線通信移動端末８の説明をする。
【００８８】
サーバー１と無線通信するサーバー無線通信部１１６、メンテナンスデータ送受信装置１０と無線通信する無線通信部２０１、車両に搭載される送受信装置９と無線通信する車両無線通信部１１４、装置を操作するキースイッチ１１３、タッチパネル１１１、そのタッチパネルを制御するタッチパネルドライバ１１２、音を鳴動させるスピーカー１１７、通信時間や待ち時間を計るタイマー部１１８、結果を表示するLCD１１０、そのLCDを制御するLCDドライバ１０９、データを記憶する記憶部１０７、データの管理及びデータ種類の判別をするデータ処理部１０８、それらの制御を行う中央制御部１０６から構成されている。
【００８９】
次に車両４内の車両に搭載される送受信装置９の説明をする。
【００９０】
無線通信移動端末８と無線通信をする無線通信部１２３、通信時間や待ち時間を計るタイマー部１２４、音を感知する音センサー部１２２、感知した音を判断する切り分け部２０２、車両データを保存する車両データ格納部１２０、それらを制御する制御部１１９、車両データ格納部１２０にデータを提供するトリップメーター１２１から構成されている。
【００９１】
最後にメンテナンスデータ送受信装置１０を説明する。
【００９２】
無線通信移動端末８と無線通信をする無線通信部１２９、通信時間や待ち時間を計るタイマー部１３０、音を感知する音センサー部１２８、感知した音を判断する切り分け部２０３、メンテナンスデータを保存するメンテナンスデータ格納部２０４、それらを制御する制御部１２５、メンテナンスデータ格納部２０４にデータを提供するメンテナンスデータ管理部２０５から構成されている。
【００９３】
第３の実施の形態の動作を図９のフローチャートを用いて説明する。
【００９４】
フローd-１でスタートする。フロー１d-は電源OFFの状態である。
【００９５】
フローd-２は電源ONし、操作を何時でも受付けられる状態である。
【００９６】
フローd-３はメンテナンスデータ送受信装置１０とデータ通信をするため、ある特定のキーが長押しされているか判断している。
【００９７】
長押しするキーによって発生させる周波数を変化させることが出来る。長押しされていればフローd-４へ、されて無ければフローd-２の待受け状態に遷移する。
【００９８】
フローd-４は、スピーカー１１７より周波数A、周波数Bの音を鳴動させる。長押しするキーによって発生させる周波数を変化するので人が聞き取れない領域の周波数を鳴動させる。また、その周波数を連続して発生させる事で通常では有り得ない状況にすることで、より確実に感知させる事ができる。発生後にフローd-５に遷移する。
【００９９】
フローd-５はメンテナンスデータの受信を開始したかを判断する。データ受信が開始出来ていればフローd-６へ、出来ていない場合は待ち受け状態に戻り、再操作をする。
【０１００】
フローd-６は、メンテナンスデータの受信が完了したかを判断する。受信が完了していれば、フローd-７へ、完了していなければ待ち受け状態に戻り、再操作をする。
【０１０１】
フローd-７は、データを無線通信移動端末８に保存する。保存後にフローd-８に遷移する。
【０１０２】
フローd-８はフローd-２と同様に操作を何時でも受付けられる状態である。
【０１０３】
フローd-９は「車両に搭載される送受信装置９」とデータ通信をするため、ある特定のキーが長押しされているか判断している。長押しするキーによって発生させる周波数を変化させることが出来る。長押しされていればフローd-１０へ、されて無ければフローd-８の待受け状態に遷移する。
【０１０４】
フローd-１０は、スピーカー１１７より周波数A、周波数Bの音を鳴動させる。長押しするキーによって発生させる周波数を変化するので人が聞き取れない領域の周波数を鳴動させる。また、その周波数を連続して発生させる事で通常では有り得ない状況にすることで、より確実に感知させる事ができる。発生後にフローd-１１に遷移する。
【０１０５】
フローd-１１は、車両に搭載される送受信装置９との通信確立を行う。通信確立が出来た場合はフローd-１２に遷移する。また無線通信移動端末８内にタイマー部１１８があるので、設定された時間までに通信確立が出来なかった場合は、待ち受け状態に遷移する。
【０１０６】
また、この車両に搭載される送受信装置９への接続は手動でも可能なため、後々に操作をしてデータ送信をする事も許容している。
【０１０７】
フローd-１２は、車両に搭載される送受信装置９にデータを送信する。終了後にフローd-１３に遷移する。
【０１０８】
フローd-１３は、データの送信が完了したかを判断する。完了した場合はフローd-１４に遷移する。
【０１０９】
完了していない場合は、フローd-１１に戻り、車両に搭載される送受信装置９との通信確立からやり直す。
【０１１０】
フローd-１４は、サーバー１との通信確立を行う。通信確立が出来た場合はフローd-１５に遷移する。また無線通信移動端末８内にタイマー部１１８があるので、設定された時間までに通信確立が出来なかった場合は、待ち受け状態に遷移する。
【０１１１】
また、このサーバー１への接続は手動でも可能なため、後々に操作をしてデータアップロードをする事も許容している。
【０１１２】
フローd-１５は、サーバー１にデータをアップロードする。終了後にフローd-１６に遷移する。
【０１１３】
フローd-１６は、データの送信が完了したかを判断する。完了した場合はフローd-１７に遷移する。
【０１１４】
完了していない場合は、フローd-１４に戻りサーバー１との通信確立からやり直す。
【０１１５】
フローd-１７は、サーバー１内部にデータを保存する。保存後にフローd-１８に遷移する。
【０１１６】
フローd-１８は、データを元に計算をする。ここでは燃費の計算の他、蓄積されたデータの処理を行う。終了後にフローd-１９に遷移する。
【０１１７】
フローd-１９は、計算結果やデータ処理結果を保存する。保存後にフローd-２０に遷移する。
【０１１８】
フローd-２０は、無線通信移動端末８との通信確立を行う。通信確立が出来た場合はフローd-２１に遷移する。またサーバー１内にタイマー部１０５があるので、設定された時間までに通信確立が出来なかった場合は、接続動作を終了する。
【０１１９】
また、このサーバー１への接続は手動でも可能なため、後々に操作をしてデータダウンロードする事も許容している。
【０１２０】
フローd-２１は、無線通信移動端末８にデータダウンロードする。終了後にフローd-２２に遷移する。
【０１２１】
フローd-２２は、データの送信が完了したかを判断する。完了した場合はフローd-２３に遷移する。
【０１２２】
完了していない場合は、フローd-２０に戻り無線通信移動端末８との通信確立からやり直す。
【０１２３】
フローd-２３は、データを無線通信移動端末８に保存する。保存後にフローd-２４に遷移する。
【０１２４】
フローd-２４は、LCDに結果を表示しユーザーに伝える。
【０１２５】
フローd-２５で終了する。
【０１２６】
第３の実施の形態のメンテナンスデータ送受信装置１０の動作を図１０のフローチャートを用いて説明する。
【０１２７】
フローe-１でスタートする。フローe-１は電源OFFの状態である。
【０１２８】
フローe-２は電源ONし、操作を何時でも受付けられる状態である。
【０１２９】
フローe-３は、特定周波数の音を感知したかを判断する。無線通信移動端末８で人が聞き取れない領域の周波数を連続して発生させるため、通常時とは異なる状況にさせる事で、確実に感知することが出来る。感知した場合はフローe-４に遷移する。
【０１３０】
フローe-４は、感知した音が周波数AかBかを判断する。Aの場合にフローe-６に遷移するBの場合はフローe-５に遷移するフローe-５は、受信モードで無線通信部１２９を起動する。起動しても無線通信移動端末８と通信確立できないため待ち受け状態に遷移する。
【０１３１】
フローe-６は、送信モードで無線通信部１２９を起動する。起動後にフローe-７に遷移する。
【０１３２】
フローe-７は、無線通信移動端末８との通信確立を行う。通信確立が出来た場合はフロー８に遷移する。またシステム内にタイマー部１３０があるので、設定された時間までに通信確立が出来なかった場合は、待ち受け状態に遷移する。
【０１３３】
フローe-８は、格納されているメンテナンスデータを送信する。終了後にフローe-９に遷移する。
【０１３４】
フローe-９は、データの送信が完了したかを判断する。完了した場合はフローe-１０に遷移する。
【０１３５】
完了していない場合は、フローe-７に戻り無線通信移動端末８との通信確立からやり直す。
【０１３６】
フローe-１０で、終了する。
【０１３７】
第３発明の車両搭載無線通信装置の動作を第１１図フローチャートを用いて説明する。
【０１３８】
フローf-１でスタートする。フローf-１は電源OFFの状態である。
【０１３９】
フローf-２は電源ONし、操作を何時でも受付けられる状態である。
【０１４０】
フローf-３は、特定周波数の音を感知したかを判断する。無線通信移動端末８で人が聞き取れない領域の周波数を連続して発生させるため、通常時とは異なる状況にさせる事で、確実に感知することが出来る。感知した場合はフローf-４に遷移する。
【０１４１】
フローf-４は、感知した音が周波数AかBかを判断する。Aの場合はフローf-５に遷移するBの場合はフローf-６に遷移する。
【０１４２】
フローf-５は、送信モードで無線通信部１２３を起動する。起動しても無線通信移動端末８と通信確立できないため待ち受け状態に遷移する。
【０１４３】
フローf-６は、受信モードで無線通信部１２３を起動する。起動後にフロー７に遷移する。
【０１４４】
フローf-７は、無線通信移動端末８との通信確立を行う。通信確立が出来た場合はフローf-８に遷移する。またシステム内にタイマー部１２４があるので、設定された時間までに通信確立が出来なかった場合は、待ち受け状態に遷移する。
【０１４５】
フローf-８は、無線通信移動端末８からデータを受信する。終了後にフローf-９に遷移する。
【０１４６】
フローf-９は、データの受信が完了したかを判断する。完了した場合はフローf-１０に遷移する。
【０１４７】
完了していない場合は、フローf-７に戻り無線通信移動端末６との通信確立からやり直す。
【０１４８】
フローf-１０は、データを格納部１２０に保存する。保存後にフローf-１１に遷移する。
【０１４９】
フローf-１１で終了する。
〈第４の実施の形態〉
第４の実施の形態について図８のブロック図を用いて説明する。管理システムは、サーバー１、無線通信移動端末１１、車両４内の車両に搭載される送受信装置９、メンテナンスデータ送受信装置１０から構成されており、無線通信端末１１で、メンテナンスデータ送受信装置１０からデータを受信し、車両に搭載される送受信装置９にデータを送信し、サーバー１にデータを送信し処理結果をサーバー１から受信するシステムになっている。
【０１５０】
この第４動作例と第３動作例との相違点は、サーバー１と通信するサーバー無線通信部１１６と、メンテナンスデータ送受信装置１０と無線通信するメンテナンスデータ無線通信部２０１と、車両に搭載される送信装置９と無線通信する車両無線通信部１１４を１つの無線通信部にして、サーバー１、無線通信移動端末１１、車両に搭載される送信装置９、メンテナンスデータ送受信装置１０を一つの無線通信部３０２でデータの送受信をする事を特徴にしている。
【０１５１】
尚、上述した本発明の端末は、上記説明からも明らかなように、ハードウェアで構成することも可能であるが、コンピュータプログラムにより実現することも可能である。このような構成の場合、プログラムメモリに格納されているプログラムで動作するプロセッサによって、上述した実施の形態と同様の機能、動作を実現させる。尚、上述した実施の形態の一部の機能のみをコンピュータプログラムにより実現することも可能である。
【０１５２】
以上、実施の形態及び実施例をあげて本発明を説明したが、本発明は必ずしも上記実施の形態及び実施例に限定されるものではなく、その技術的思想の範囲内において様々に変形し実施することが出来る。
【符号の説明】
【０１５３】
１    サーバー
２    無線通信移動端末
３    車両に搭載されている送信装置
４    車両
５    給油機に搭載されている送信装置
６    給油機
【図１】
0005605850.tif 000002
【図２】
0005605850.tif 000003
【図３】
0005605850.tif 000004
【図４】
0005605850.tif 000005
【図５】
0005605850.tif 000006
【図６】
0005605850.tif 000007
【図７】
0005605850.tif 000008
【図８】
0005605850.tif 000009
【図９】
0005605850.tif 000010
【図１０】
0005605850.tif 000011
【図１１】
0005605850.tif 000012